(57)【要約】【課題】奥行距離が異なる様々な規格のラックに適合させるために、変位調整を行い、ラックへ固定させることができる上、支持強度を向上させることが可能なスライドレールのブラケットを提供する。【解決手段】スライドレールのブラケットは、外側軌道１２を有するスライドレールアセンブリ１０と、スライドレールアセンブリ１０の外側軌道１２の端部に接続されて固定された接続部材２０と、チャネル３８を画定する第１の壁部３２、第２の壁部３４および第１の側面３６を有する固定ベース３０と、固定ベース３０のチャネル３８へ摺動可能に接続され、第３の壁部５２と、第４の壁部５４と、第３の壁部５２と第４の壁部５４との間に設けられた第２の側面５６と、を有する摺動部材５０と、摺動部材５０の端部へ強固に接続され、第３の側面７８と、接続部材２０の接続部２２に略対称的に形成された固定部７２と、を有する固定部材７０とを備える。【選択図】図１
0003152281.tif 000002
【実用新案登録請求の範囲】
【請求項１】
外側軌道を有するスライドレールアセンブリと、
前記スライドレールアセンブリの前記外側軌道の端部に接続されて固定され、接続部を有する接続部材と、
前記スライドレールアセンブリに固着され、チャネルを画定する第１の壁部、第２の壁部および第１の側面を有する固定ベースと、
前記固定ベースの前記チャネルへ摺動可能に接続され、第３の壁部と、第４の壁部と、前記第３の壁部と前記第４の壁部との間に設けられた第２の側面と、を有する摺動部材と、
前記摺動部材の端部へ強固に接続され、第３の側面と、前記接続部材の前記接続部に略対称的に形成された固定部と、を有する固定部材と、を備え、
前記第１の壁部は、前記第２の壁部に対して略垂直な第１の折り曲げ部を有し、前記第２の壁部は、前記第１の折り曲げ部と略対称的に形成された第２の折り曲げ部を有し、
前記第３の壁部は、前記第４の壁部に対して略垂直な第３の折り曲げ部を有し、前記第４の壁部は、前記第３の折り曲げ部に対して略対称的に形成された第４の折り曲げ部を有することを特徴とする、スライドレールのブラケット。
【請求項２】
前記固定ベースの前記チャネル中には第１のバンプが設けられ、前記固定ベースの前記チャネル中で前記摺動部材がスムーズに摺動することが可能なように、前記摺動部材の前記第２の側面で、前記固定ベースの前記第１のバンプに対応した箇所に凹溝が設けられることを特徴とする、請求項１に記載のスライドレールのブラケット。
【請求項３】
前記摺動部材の前記凹溝中に設けた第２のバンプを用い、前記固定ベースに沿って前記摺動部材が所定位置まで摺動すると、前記摺動部材の前記第２のバンプが前記固定ベースの前記第１のバンプに当接し、前記固定ベースに対して前記摺動部材の摺動ストロークを制限することを特徴とする、請求項２に記載のスライドレールのブラケット。
【請求項４】
前記固定部材は、前記第３の側面がそれぞれ上面および底面に接続され、前記上面、前記底面および前記側面により画定された保持面を用い、前記スライドレールアセンブリの前記外側軌道を支持することを特徴とする、請求項１に記載のスライドレールのブラケット。
【請求項５】
前記固定部材は、前記摺動部材の前記端部が延伸されて形成されることを特徴とする、請求項１に記載のスライドレールのブラケット。
【請求項６】
チャネルを画定する第１の壁部と、第２の壁部と、前記第１の壁部と前記第２の壁部との間に設けた第１の側面と、を有する固定ベースと、
前記固定ベースの前記チャネルへ摺動可能に接続され、第３の壁部と、第４の壁部と、前記第３の壁部と前記第４の壁部との間に設けられた第２の側面と、を有する摺動部材と、
前記摺動部材の端部へ強固に接続され、第３の側面と、前記第３の側面の端部が延伸され、折り曲げられて形成された固定部と、を有する固定部材と、を備え、
前記第１の壁部は、前記第２の壁部に対して略垂直な第１の折り曲げ部を有し、前記第２の壁部は、前記第１の折り曲げ部と略対称的に形成された第２の折り曲げ部を有し、
前記第３の壁部は、前記第４の壁部に対して略垂直な第３の折り曲げ部を有し、前記第４の壁部は、前記第３の折り曲げ部に対して略対称的に形成された第４の折り曲げ部を有することを特徴とする、ブラケット。
【請求項７】
前記固定ベースの前記チャネル中に第１のバンプを設け、前記摺動部材の前記第２の側面には、前記固定ベースの前記チャネル中を前記摺動部材がスムーズに摺動するように、前記固定ベースの前記第１のバンプに対応する箇所に凹溝が設けられることを特徴とする、請求項６に記載のブラケット。
【請求項８】
前記摺動部材の前記凹溝中に設けた第２のバンプを用い、前記固定ベースに沿って前記摺動部材が所定位置まで摺動すると、前記摺動部材の前記第２のバンプが前記固定ベースの前記第１のバンプに当接し、前記固定ベースに対して前記摺動部材の摺動ストロークを制限することを特徴とする、請求項７に記載のブラケット。
【請求項９】
前記固定部材は、前記第３の側面がそれぞれ上面および底面に接続され、前記上面、前記底面および前記側面により保持面が画定されることを特徴とする、請求項６に記載のブラケット。
【請求項１０】
前記固定部材は、前記摺動部材の前記端部が延伸されて形成されることを特徴とする、請求項６に記載のブラケット。
【請求項１１】
チャネルを画定する第１の壁部と、第２の壁部と、前記第１の壁部と前記第２の壁部との間に設けられた第１の側面と、を有する固定ベースと、
前記固定ベースの前記チャネルに摺動可能に接続され、第３の壁部と、第４の壁部と、前記第３の壁部と前記第４の壁部との間に設けられた第２の側面と、を有する摺動部材と、
前記摺動部材の端部へ強固に接続され、第３の側面と、前記第３の側面の端部が延伸され、折り曲げられて形成された固定部と、を有する固定部材と、を備え、
前記第１の壁部は、前記第２の壁部に対して略垂直な第１の折り曲げ部を有し、前記第２の壁部は、前記第１の折り曲げ部と略対称的に形成された第２の折り曲げ部を有し、前記固定ベースの側面には、チャネルに対応した箇所に第１のバンプが設けられ、
前記第３の壁部は、前記第４の壁部に対して略垂直な第３の折り曲げ部を有し、前記第４の壁部は、前記第３の折り曲げ部に対して略対称的に形成された第４の折り曲げ部を有し、前記摺動部材の前記第２の側面には、前記固定ベースの前記第１のバンプに対応した箇所に凹溝が設けられ、前記摺動部材の前記第２の側面の凹溝に設けられた第２のバンプを用い、固定ベースに沿って前記摺動部材が所定位置まで摺動すると、前記摺動部材の前記第２のバンプが前記固定ベースの前記第１のバンプに当接し、前記固定ベースに対して前記摺動部材の摺動ストロークを制限することを特徴とする、ブラケット。
【請求項１２】
前記固定部材は、前記摺動部材の端部が延伸されて形成されることを特徴とする、請求項１１に記載のブラケット。
【考案の詳細な説明】
【技術分野】
【０００１】
本考案は、ブラケットに係り、特に、ラックに応用することが可能なスライドレールのブラケットに関する。
【背景技術】
【０００２】
スライドレールのブラケットの従来技術として、特許文献１、特許文献２、特許文献３などが開示されている。
【０００３】
従来のスライドレールのブラケットは、使用する際、一般にラック（ｒａｃｋ）に装着し、ラック上にスライドレールを装着するために用いる。そのため、様々な規格（例えば、ラックの奥行距離（前後の距離）が異なる規格）のラックへ適合させるために、変位調整が可能なスライドレールのブラケットが求められていた。
【先行技術文献】
【特許文献】
【０００４】
【特許文献１】アメリカ合衆国特許第７１８８９１６号明細書
【特許文献２】アメリカ合衆国特許出願公開第２００６／０１５２１１５号公報
【特許文献３】アメリカ合衆国特許出願公開第２００８／００３６３４７号公報
【考案の概要】
【考案が解決しようとする課題】
【０００５】
本考案の目的は、奥行距離が異なる様々な規格のラックに適合させるために、変位調整を行い、ラックへ固定させることができる上、支持強度を向上させることが可能なスライドレールのブラケットを提供することにある。
【課題を解決するための手段】
【０００６】
上記課題を解決するために、本考案の第１の形態によれば、外側軌道を有するスライドレールアセンブリと、前記スライドレールアセンブリの前記外側軌道の端部に接続されて固定され、接続部を有する接続部材と、前記スライドレールアセンブリに固着され、チャネルを画定する第１の壁部、第２の壁部および第１の側面を有する固定ベースと、前記固定ベースの前記チャネルへ摺動可能に接続され、第３の壁部と、第４の壁部と、前記第３の壁部と前記第４の壁部との間に設けられた第２の側面と、を有する摺動部材と、前記摺動部材の端部へ強固に接続され、第３の側面と、前記接続部材の前記接続部に略対称的に形成された固定部と、を有する固定部材と、を備え、前記第１の壁部は、前記第２の壁部に対して略垂直な第１の折り曲げ部を有し、前記第２の壁部は、前記第１の折り曲げ部と略対称的に形成された第２の折り曲げ部を有し、前記第３の壁部は、前記第４の壁部に対して略垂直な第３の折り曲げ部を有し、前記第４の壁部は、前記第３の折り曲げ部に対して略対称的に形成された第４の折り曲げ部を有することを特徴とするスライドレールのブラケットが提供される。
【０００７】
前記固定ベースの前記チャネル中には第１のバンプが設けられ、前記固定ベースの前記チャネル中で前記摺動部材がスムーズに摺動することが可能なように、前記摺動部材の前記第２の側面で、前記固定ベースの前記第１のバンプに対応した箇所に凹溝が設けられることが好ましい。
【０００８】
前記摺動部材の前記凹溝中に設けた第２のバンプを用い、前記固定ベースに沿って前記摺動部材が所定位置まで摺動すると、前記摺動部材の前記第２のバンプが前記固定ベースの前記第１のバンプに当接し、前記固定ベースに対して前記摺動部材の摺動ストロークを制限することが好ましい。
【０００９】
前記固定部材の前記第３の側面は、それぞれ上面および底面に接続され、前記上面、前記底面および前記側面により画定された保持面を用い、前記スライドレールアセンブリの前記外側軌道を支持することが好ましい。
【００１０】
前記固定部材は、前記摺動部材の前記端部が延伸されて形成されることが好ましい。
【００１１】
本考案の第２の形態によれば、チャネルを画定する第１の壁部と、第２の壁部と、前記第１の壁部と前記第２の壁部との間に設けた第１の側面と、を有する固定ベースと、前記固定ベースの前記チャネルへ摺動可能に接続され、第３の壁部と、第４の壁部と、前記第３の壁部と前記第４の壁部との間に設けられた第２の側面と、を有する摺動部材と、前記摺動部材の端部へ強固に接続され、第３の側面と、前記第３の側面の端部が延伸され、折り曲げられて形成された固定部と、を有する固定部材と、を備え、前記第１の壁部は、前記第２の壁部に対して略垂直な第１の折り曲げ部を有し、前記第２の壁部は、前記第１の折り曲げ部と略対称的に形成された第２の折り曲げ部を有し、前記第３の壁部は、前記第４の壁部に対して略垂直な第３の折り曲げ部を有し、前記第４の壁部は、前記第３の折り曲げ部に対して略対称的に形成された第４の折り曲げ部を有することを特徴とするブラケットが提供される。
【００１２】
前記固定ベースの前記チャネル中に第１のバンプを設け、前記摺動部材の前記第２の側面には、前記固定ベースの前記チャネル中を前記摺動部材がスムーズに摺動するように、前記固定ベースの前記第１のバンプに対応する箇所に凹溝が設けられることが好ましい。
【００１３】
前記摺動部材の前記凹溝中に設けた第２のバンプを用い、前記固定ベースに沿って前記摺動部材が所定位置まで摺動すると、前記摺動部材の前記第２のバンプが前記固定ベースの前記第１のバンプに当接し、前記固定ベースに対して前記摺動部材の摺動ストロークを制限することが好ましい。
【００１４】
前記固定部材の前記第３の側面は、それぞれ上面および底面に接続され、前記上面、前記底面および前記側面により保持面が画定されることが好ましい。
【００１５】
前記固定部材は、前記摺動部材の前記端部が延伸されて形成されることが好ましい。
【００１６】
本考案の第３の形態によれば、チャネルを画定する第１の壁部と、第２の壁部と、前記第１の壁部と前記第２の壁部との間に設けられた第１の側面と、を有する固定ベースと、前記固定ベースの前記チャネルに摺動可能に接続され、第３の壁部と、第４の壁部と、前記第３の壁部と前記第４の壁部との間に設けられた第２の側面と、を有する摺動部材と、前記摺動部材の端部へ強固に接続され、第３の側面と、前記第３の側面の端部が延伸され、折り曲げられて形成された固定部と、を有する固定部材と、を備え、前記第１の壁部は、前記第２の壁部に対して略垂直な第１の折り曲げ部を有し、前記第２の壁部は、前記第１の折り曲げ部と略対称的に形成された第２の折り曲げ部を有し、前記固定ベースの側面には、チャネルに対応した箇所に第１のバンプが設けられ、前記第３の壁部は、前記第４の壁部に対して略垂直な第３の折り曲げ部を有し、前記第４の壁部は、前記第３の折り曲げ部に対して略対称的に形成された第４の折り曲げ部を有し、前記摺動部材の前記第２の側面には、前記固定ベースの前記第１のバンプに対応した箇所に凹溝が設けられ、前記摺動部材の前記第２の側面の凹溝に設けられた第２のバンプを用い、固定ベースに沿って前記摺動部材が所定位置まで摺動すると、前記摺動部材の前記第２のバンプが前記固定ベースの前記第１のバンプに当接し、前記固定ベースに対して前記摺動部材の摺動ストロークを制限することを特徴とするブラケットが提供される。
【００１７】
前記固定部材は、前記摺動部材の端部が延伸されて形成されることが好ましい。
【考案の効果】
【００１８】
本考案のスライドレールのブラケットは、奥行距離が異なる様々な規格のラックに適合させるために、変位調整を行い、ラックへ固定させることができる上、支持強度を向上させることができる。
【図面の簡単な説明】
【００１９】
【図１】本考案の一実施形態によるスライドレールのブラケットを示す分解斜視図である。
【図２】本考案の一実施形態によるスライドレールアセンブリへ固定ベースを固着させるときの状態を示す斜視図である。
【図３】本考案の一実施形態によるスライドレールを伸縮するときの第１の状態を示す斜視図である。
【図４】本考案の一実施形態によるスライドレールを伸縮するときの第２の状態を示す斜視図である。
【図５】本考案の一実施形態によるスライドレールを組み合わせるときの状態を示す断面図である。
【図６】本考案の一実施形態による摺動部材から固定部材が外されたときの状態を示す分解斜視図である。
【図７】本考案の一実施形態による固定部材の端部が延伸されて形成された摺動部材を示す斜視図である。
【考案を実施するための形態】
【００２０】
以下、本考案の実施形態について図に基づいて説明する。なお、これによって本考案が限定されるものではない。
【００２１】
図１を参照する。図１は、スライドレールのブラケットを示す分解斜視図である。スライドレールのブラケットは、外側軌道１２を有するスライドレールアセンブリ１０と、スライドレールアセンブリ１０に接続された外側軌道１２の端部に固定された接続部材２０と、を含む。本実施形態の接続部材２０は、接続部２２および２つの固定ピン２４を含む。
【００２２】
固定ベース３０は、スライドレールアセンブリ１０に固着し（図２に示す）、第１の壁部３２と、第２の壁部３４と、第１の壁部３２と第２の壁部３４との間に設けられた第１の側面３６と、を含む。第１の壁部３２、第２の壁部３４および第１の側面３６により、チャネル３８が画定される。固定ベース３０の第１の壁部３２は、固定ベース３０の第２の壁部３４に対して略垂直な第１の折り曲げ部４０を有する。固定ベース３０の第２の壁部３４は、固定ベース３０の第１の壁部３２の第１の折り曲げ部４０に略対称的に形成された第２の折り曲げ部４２を有する。本実施形態では、固定ベース３０のチャネル３８中に第１のバンプ４４が設けられていることが好ましい。
【００２３】
摺動部材５０は、固定ベース３０のチャネル３８へ摺動可能に接続されている。摺動部材５０は、第３の壁部５２と、第４の壁部５４と、第３の壁部５２と第４の壁部５４との間に設けられた第２の側面５６とを含む。摺動部材５０の第３の壁部５２は、摺動部材５０の第４の壁部５４に対して略垂直な第３の折り曲げ部５８を有する。摺動部材５０の第４の壁部５４は、摺動部材５０の第３の壁部５２の第３の折り曲げ部５８に略対称的に形成された第４の折り曲げ部６０を有する。本実施形態では、摺動部材５０が固定ベース３０のチャネル３８をスムーズに摺動することが可能なように、前述の固定ベース３０の第１のバンプ４４の位置に対応した摺動部材５０の第２の側面５６の箇所に、凹溝６２が設けられていることが好ましい。さらに、固定ベース３０に沿って摺動部材５０が所定位置まで摺動すると、摺動部材５０の第２のバンプ６４が固定ベース３０の第１のバンプ４４に当接し、固定ベース３０に対して摺動部材５０の摺動ストロークを制限することができる（図３および図４に示す）。
【００２４】
図５を参照する。図５に示すように、固定部材７０は、摺動部材５０の端部に固着されている。本実施形態の固定部材７０は、固定部７２と、上面７４と、底面７６と、上面７４と底面７６との間に設けられた第３の側面７８と、を含む。上面７４、底面７６および第３の側面７８により保持面８０が画定されている。
【００２５】
図３および図４を参照する。図３および図４に示すように、本実施形態のブラケットは、長さを伸縮させて調整し、ラック９０上へ装着させることができる。即ち、ラック９０上へスライドレールアセンブリ１０を装着させて固定する際、ラック９０の奥行距離に応じ、固定ベース３０に対して摺動部材５０の長さを調整変位させることができる。例えば、ラックの奥行距離と、ブラケットを含むスライドレールアセンブリの長さを同じにするなど適宜調整し、即ち、図４に示すように、固定ベース３０に対して摺動部材５０を第２状態となるように伸縮したり、図５に示すように、保持面８０が前述のスライドレールアセンブリ１０の外側軌道１２と入れ子式で接続されて支持された状態で用いられる。
【００２６】
上述したように、本実施形態の固定部材７０の固定部７２は、接続部材２０の接続部２２に対応するように、第３の側面７８の端部が延伸され、折り曲げられて形成され、固定部材７０の固定部７２には、接続部材２０の２つの固定ピン２４に対応した箇所に２つの固定ピン８２が設けられている。
【００２７】
さらに、固定部材７０を摺動部材５０の端部に接続固定させる方式としては、図６に示すように、固定部材７０と摺動部材５０とをそれぞれ独立した分離部材にすることを含んでもよい。固定部材７０と摺動部材５０の端部とは、例えば、カシメ固定などの接続手段により強固に接続したり、図７に示すように、摺動部材５０の端部を延伸して固定部材７０を形成したりしてもよい。
【００２８】
上述したことから分かるように、本発明は、様々な規格のラックに利用することが可能である上、ラックの奥行距離に応じて長さを調整し、ラックに装着して摺動接続構造により固定ベースに沿って摺動部材を移動させ、好適な支持強度を得ることができる。
【００２９】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００３０】
１０  スライドレールアセンブリ
１２  外側軌道
２０  接続部材
２２  接続部
２４  固定ピン
３０  固定ベース
３２  第１の壁部
３４  第２の壁部
３６  第１の側面
３８  チャネル
４０  第１の折り曲げ部
４２  第２の折り曲げ部
４４  第１のバンプ
５０  摺動部材
５２  第３の壁部
５４  第４の壁部
５６  第２の側面
５８  第３の折り曲げ部
６０  第４の折り曲げ部
６２  凹溝
６４  第２のバンプ
７０  固定部材
７２  固定部
７４  上面
７６  底面
７８  第３の側面
８０  保持面
８２  固定ピン
９０  ラック
【図１】
0003152281.tif 000003
【図２】
0003152281.tif 000004
【図３】
0003152281.tif 000005
【図４】
0003152281.tif 000006
【図５】
0003152281.tif 000007
【図６】
0003152281.tif 000008
【図７】
0003152281.tif 000009